(57)【特許請求の範囲】
【請求項１】
モータ一体型の送風機であって、
回転可能なシャフトと、
中央に前記シャフトが固定され、一方の面が駆動コイルの側に露出し、他方の面が外部に露出した放熱板と、
前記放熱板の外縁に固定された円筒部と、
前記円筒部の外周に設けられた羽根と
を備え、
前記シャフトと前記放熱板は、前記シャフトおよび前記放熱板の一部を覆う樹脂製のボス部により結合しており、
前記円筒部は樹脂製であり、
前記円筒部と前記ボス部とが連結部を介して繋がっており、
前記連結部は前記放熱板の前記一方の面および前記他方の面の少なくとも一方の一部に設けられ、
前記連結部が設けられていない他の部分において、前記放熱板が露出し、前記放熱板の前記駆動コイルの側における露出面および前記駆動コイルの側と反対の側における露出面が確保されていることを特徴とする送風機。
【請求項２】
前記円筒部の内側には、ロータヨークおよびロータマグネットが配置され、
前記放熱板は、前記ロータヨークよりも熱伝導率が大きい金属であることを特徴とする請求項１に記載の送風機。
【請求項３】
前記放熱板は、銅またはアルミニウムを主体とする合金からなることを特徴とする請求項２に記載の送風機。
【請求項４】
前記放熱板が前記シャフトの外周に内周で接触する円筒部を備えることを特徴とする請求項１乃至３のいずれか一項に記載の送風機
【発明の詳細な説明】
【技術分野】
【０００１】
本発明は、モータ一体型の送風機において、モータからの発熱を外部に放熱する構造に特徴がある送風機に関する。
【背景技術】
【０００２】
モータを内蔵した送風機は、モータからの発熱により軸受の潤滑剤が劣化し、寿命が短くなる問題がある。特許文献１には、送風機に内蔵されたモータからの発熱を、樹脂製のインペラの表面から放熱するために、インペラの表面に放熱層となる金属板を貼り付ける構造が開示されている。
【先行技術文献】
【特許文献】
【０００３】
【特許文献１】特開２００４−３１６５０５号公報
【発明の概要】
【発明が解決しようとする課題】
【０００４】
特許文献１に開示されているインペラ表面に金属板を貼り付ける構造は、金属板とシャフトとの接触部がシャフトの頂端部だけであるため、放熱効果が弱い。また、金属板の貼り付け位置がずれた場合に、ロータの回転バランスをとるのに手間がかかる問題がある。また、発熱量が最も大きいのは、駆動コイルであり、次いでコア、次いで軸受および回路基板の順に小さくなるが、上述したインペラ表面に金属板を貼り付ける構造では、金属板の放熱機能はシャフトからインペラに伝導した熱を放熱する作用に止まり、駆動コイルやコアで生じる熱の放熱にはそれ程寄与しない。
【０００５】
このような背景において、本発明は、モータ一体型の送風機において、ロータの回転バランスを容易に高い精度で確保でき、且つモータ内部の駆動コイルから発生する熱を効率よく外部に放熱することができる構造を提供することを目的とする。
【課題を解決するための手段】
【０００６】
請求項１に記載の発明は、モータ一体型の送風機であって、回転可能なシャフトと、中央に前記シャフトが固定され、一方の面が駆動コイルの側に露出し、他方の面が外部に露出した放熱板と、前記放熱板の外縁に固定された円筒部と、前記円筒部の外周に設けられた羽根とを備え、前記シャフトと前記放熱板は、前記シャフトおよび前記放熱板の一部を覆う樹脂製のボス部により結合しており、前記円筒部は樹脂製であり、前記円筒部と前記ボス部とが連結部を介して繋がっており、前記連結部は前記放熱板の前記一方の面および前記他方の面の少なくとも一方の一部に設けられ、前記連結部が設けられていない他の部分において、前記放熱板が露出し、前記放熱板の前記駆動コイルの側における露出面および前記駆動コイルの側と反対の側における露出面が確保されていることを特徴とする。請求項１に記載の発明によれば、駆動コイル側に露出した放熱板の表面に、駆動コイルから放射される放射熱が吸収され、その熱が当該放熱板の他方の面から外部に放射される。つまり、放熱板を介して、駆動コイルからの発熱が外部に放熱される。このため、シャフトから放熱板に伝導する熱の放熱効果に加えて、駆動コイルからの発熱を放熱する経路が確保され、発熱量の多い駆動コイルからの熱が内部にこもり、軸受の潤滑剤が劣化する問題が緩和される。また、高い生産性が得られ、且つ、シャフトと放熱板の位置関係が正確に定まり、シャフトの回転時における重量バランスの崩れがない構造が得られる。また、羽根が外周に配置された円筒部、ボス部、および放熱板（つまりハブ全体）を一体構造とすることができる。このため、製造工程が簡素化される。また、製造工程が簡素化されても放熱板上における連結部が占める面積が部分的であり、放熱板の露出部は確保されるので、放熱板の放熱効果は損なわれない。
【００１０】
請求項２に記載の発明は、請求項１に記載の発明において、前記円筒部の内側には、ロータヨークおよびロータマグネットが配置され、前記放熱板は、前記ロータヨークよりも熱伝導率が大きい金属であることを特徴とする。ロータヨークは、磁気回路を形成する機能が重視されるので磁性材料である必要があるが、放熱板は、磁性材料としての機能は必要とされないので、放熱効果優先でその材質を選択することができる。
【００１１】
請求項３に記載の発明は、請求項２に記載の発明において、前記放熱板は、銅またはアルミニウムを主体とする合金からなることを特徴とする。放熱板の材質として、銅またはアルミニウムを主体とする合金を選択することで、高い放熱効果を得ることができる。
【００１２】
請求項４に記載の発明は、請求項１乃至３のいずれか一項に記載の発明において、前記放熱板が前記シャフトの外周に内周で接触する円筒部を備えることを特徴とする。請求項４に記載の発明によれば、放熱板の円筒部の内周がシャフトの外周に接触することで、放熱板とシャフトとの接触面積が確保され、シャフトを伝導してくる熱を効率よく放熱板に逃がすことができる。また、シャフトと放熱板との結合の強度を高くできる。
【発明の効果】
【００１３】
本発明によれば、モータ一体型の送風機において、ロータの回転バランスを容易に高い精度で確保でき、且つモータ内部の駆動コイルから発生する熱を効率よく外部に放熱することができる。
【図面の簡単な説明】
【００１４】
【図１】発明を実施するための基本形態の軸流送風機の断面図である。
【図２】インペラを構成する部材の正面図と断面図である。
【図３】放熱板を軸方向から見た図（ａ）と軸に垂直な方向から見た断面図（ｂ）である。
【図４】本発明の一実施形態に係るインペラを構成する部材の正面図である。
【図５】変形例の放熱板を軸に垂直な方向から見た断面図である。
【発明を実施するための形態】
【００１５】
１．発明を実施するための基本形態
（構成）
図１には、発明を実施するための基本形態の軸流送風機１００の軸に垂直な方向から見た断面図が示されている。図２には、図１の軸流送風機が備えるインペラを軸方向から見た正面図（ａ）と、軸に垂直な方向から見た断面図（ｂ）が示されている。
【００１６】
軸流送風機１００は、ケーシング１０１を備えている。ケーシング１０１は、略円筒形状を有し、その内側に後述するロータ１２３が回転自在な状態で配置されている。ケーシング１０１は、軸中心の方向に向かって延在した支柱であるモータベース支持部材１０２によってモータベース１０３を保持し、モータベース１０３は、軸方向に向かって延在した略筒形状を有した軸受ハウジング１０４を備えている。ケーシング１０１、モータベース支持部材１０２、モータベース１０３および軸受ハウジング１０４は、樹脂を原料とした一体成形品である。
【００１７】
軸受ハウジング１０４の外周には、ステータコア１０５が固定されている。ステータコア１０５は、鋼板を積層したもので構成され、軸方向から見て放射状に複数が配置された複数の突極（図示省略）を備えている。詳しい説明は省略するが、ステータコア１０５の形状は、一般的なアウターロータ型のブラシレスモータのステータコアと同じである。ステータコア１０５には、樹脂製のインシュレータ１０６が装着されている。インシュレータ１０６を介して、ステータコア１０５の複数の突極のそれぞれにステータコイル（駆動コイル）１０７が巻回されている。ステータコア１０５、インシュレータ１０６およびステータコイル１０７によって、アウターロータ型のモータのステータ１０８が構成されている。なお、インシュレータ１０６には、金属製の端子ピン１０９が埋め込まれている。この端子ピン１０９には、ステータコイル１０７を構成する巻線の端部が絡げ接続され、また端子ピン１０９の先端は、回路基板１１０に接続されている。回路基板１１０には、ステータコイル１０７に駆動電流を流すための駆動回路が形成されている。
【００１８】
軸受ハウジング１０４の内側には、軸受１１１および１１２が取り付けられている。軸受１１１および１１２は、回転する軸部材となるシャフト１１３を回転自在な状態で保持している。軸受１１１，１１２は、滑り軸受または転がり軸受であり、シャフト１１３の回転に伴う摩擦を軽減するための潤滑剤が保持されている。シャフト１１３は、金属製であり、その上部には樹脂製のボス部１１４が取り付けられている。ボス部１１４は、シャフト１１３の端部に固定されていると共に、金属性で略円板形状の放熱板１１５の回転中心に固定されている。図３には、放熱板１１５を軸方向から見た正面図（ａ）と、軸に垂直な方向から見た断面図（ｂ）が示されている。図３に示すように、放熱板１１５には、シャフト１１３が嵌る嵌合孔１１５ａ、ボス部１１４との相互固定を行なうための貫通孔１１５ｂが設けられている。放熱板１１５は、一方の面（図１の下面）がステータコイル１０７の側に露出し、他方の面（図の上面）が軸方向外側（軸流送風機１００の外部の方向）に露出している。
【００１９】
ボス部１１４は、樹脂を原料とする射出成形法により形成されており、ボス部１１４により、シャフト１１３と放熱板１１５が一体化されている。以下、この部分の製造方法について説明する。まず、ボス部１１４を形成するための図示しない射出成形型について説明する。この図示しない射出成形型は、シャフト１１３と放熱板１１５をインサート材として型の内部に配置可能な構造を有している。製造においては、この射出成形型の内部に、放熱板１１５の嵌合孔１１５ａにシャフト１１３の端部を差し込み嵌合させた状態のものを配置し、樹脂を原料とした射出成形を行なう。この射出成形により、シャフト１１３と放熱板１１５とが結合した部分が樹脂で覆われ、ボス部１１４が形成される（図１および図２参照）。この際、放熱板１１５の貫通孔１１５ｂの内部にボス部１１４を構成する樹脂材料が入り込み、図示するような、ボス部１１４により、シャフト１１３と放熱板１１５が一体化された構造が得られる。
【００２０】
ボス部１１４と軸受１１２の間には、シャフト１１３の軸方向におけるガタを吸収するためのスプリング１１６が配置されている。放熱板１１５の外周の縁の部分には、複数の羽根１１７を備えた円筒部１１８が固定されている。羽根１１７と円筒部１１８とは、樹脂製の一体成形された部材である。ボス部１１４、放熱板１１５および円筒部１１８によりハブ１１９が構成されている。また、シャフト１１３、ハブ１１９および羽根１１７によりインペラ（羽根車）１２０が構成されている。
【００２１】
円筒部１１８の内側には、磁性材料により構成される円筒状のロータヨーク１２１が配置され、ロータヨーク１２１の内側に永久磁石により構成される円筒状のロータマグネット１２２が配置されている。ロータマグネット１２２は、ステータコア１０５およびインシュレータ１０６の外側に隙間を隔てた状態で位置している。ロータマグネット１２２は、その内周面に周方向に沿って複数の磁極が設けられ、軸中心に面する磁極の極性が交互に反転する状態で配置されている。インペラ１２０、ロータヨーク１２１およびロータマグネット１２２により、ロータ１２３が構成されている。
【００２２】
以上述べたように、軸流送風機１００は、アウターロータ型のブラシレスモータのロータ部分に軸流ファンの羽根を備えた構造を有している。すなわち、軸流送風機１００は、モータベース１０３の軸受ハウジング１０４に固定されたステータ１０８の回りをロータ１２３が回転する。ロータ１２３は、シャフト１１３にハブ１１９が固定され、ハブ１１９の外周に羽根１１７が配置された構造を有している。ハブ１１８の内側には、ロータマグネット１２２が取り付けられ、ステータ１０８の側に配置された駆動コイルであるステータコイル１０７に流される駆動電流の極性が切り替えられることで、ステータコイル１０７とロータマグネット１２２との間で作用する磁気吸引力と磁気反発力が切り替わり、ロータ１２３がシャフト１１３を軸として回転する。ロータ１２３が回転することで、羽根１１７が回転し、軸方向への空気の動き（軸流）が生じる。
【００２３】
（放熱機能）
軸流送風機１００を動作させると、ステータコイル１０７、ステータコア１０５、軸受１１１，１１２および回路基板１１０が発熱する。ここで、ステータコイル１０７の発熱量が最も大きく、次いでステータコア１０５の発熱量、その他の部分の発熱量の順となる。ここで、軸受ハウジング１０４は樹脂製であるので、熱の伝導はそれ程期待できない。この状況において、軸受１１１，１１２からの発熱は、金属性のシャフト１１３から放熱板１１５に伝導し、放熱板１１５から放熱される。また、ステータコイル１０７およびステータコア１０５で生じた熱は、輻射熱として放熱板１１５に吸収され、更に放熱板１１５から図の上の方向に放熱される。
【００２４】
放熱板１１５は、一方の面（図１の下面）がステータコイル１０７の側に露出し、他方の面（図の上面）が軸方向外側（軸流送風機１００の外部の方向）に露出している。したがって、上述したステータコイル１０７およびステータコア１０５で生じた熱は、輻射熱として放熱板１１５に吸収され、さらに放熱板１１５から外部に放熱される。なお、軸流送風機の場合、回路基板１１０からの発熱は、それ程大きくなく、図１に示す構造では、特に問題とはならない。
【００２５】
（優位性）
主な発熱原であるステータコイル１０７およびステータコア１０５で生じる熱が、輻射熱として放熱板１１５に吸収され、さらに放熱板１１５から図１の上の方向に放熱される。この構造によれば、ロータ１２３の内側（内部）の密閉性が損なわれない状態で、ステータコイル１０７およびステータコア１０５で生じる熱が外部に効率よく放熱される。
【００２６】
例えば、放熱板１１５に開口部を設け、ステータ１０８への外部からの通気性を確保することで、ステータコイル１０７およびステータコア１０５で生じる熱の放熱を行なう構造も考えられる。しかしながら、その場合、塵や異物のロータ１２３内部への侵入の問題が生じる。軸流送風機１００の小型化を追求し、ステータ１０８とロータ１２３との間の隙間の寸法を小さくしていった場合、塵や異物のロータ１２３内部への侵入は好ましくない。本実施形態の放熱構造とした場合、この問題の発生を抑えつつ、ロータ１２３内部からの放熱が行なわれる構造が実現される。
【００２７】
シャフト１１３に放熱板１１５が嵌め込まれているので、シャフト１１３を伝導する熱を放熱板１１５から効率よく放熱させることができる。また、シャフト１１３と放熱板１１５をインサート材とした樹脂の射出成形により、ボス部１１４を形成する構造とすることで、シャフト１１３を放熱板１１５の回転中心に精度よく固定することができ、またシャフト１１３と放熱板１１５の一体構造がボス部１１４によって確保されるので、ロータ１２３のバランスを容易に高い精度で確保できる。また、放熱板１１５は、ロータヨーク１２１とは別の部材であるので、放熱板１１５を磁性材料で構成する必要はなく、放熱板１１５を熱伝導率や放熱特性が良好な金属で構成でき、放熱を優先した構造とできる。例えば、放熱板１１５とロータヨーク１２１を一つの部材で構成したカップ形状のロータヨークを採用した場合、放熱板１１５に相当する部分も磁性材料により構成せざるを得ないので、放熱板１１５に相当する部分の放熱機能を優先した材料選択ができなくなる。
【００２８】
（変形例１）
シャフト１１１を放熱板１１５の嵌合孔１１５ａに圧入により固定する構造は好ましい。この構造によれば、シャフト１１１と放熱板１１５との接触がより確実となるので、シャフト１１１から放熱板１１５への熱伝導をより確実に行える。
【００２９】
（変形例２／本発明の実施形態）
図４には、羽根１１７、円筒部１１８およびボス部１１４を一体成形品とした本発明の一実施形態が示されている。図４に示す構造では、円筒部１１８とボス部１１４とは、３箇所のブリッジ部（連結部）１３０によって繋がっており、一体の構造を有している。ブリッジ部１３０があることで、樹脂を原料とした射出成形法により、羽根１１７、円筒部１１８およびボス部１１４を一体成形品とした構造を得ることができる。この構造を得る場合、成形型内に放熱板１１５（図１と同じもの）をインサート材として配置した状態において、樹脂を原料とした射出成形を行なうことで、図４に示す構造を得る。
【００３０】
ここで、ブリッジ部１３０は、放熱板１１５の片面側だけに設けられていても良いし、両面に設けられていても良い。また、ブリッジ部１３０の数は、３箇所に限定されない。図４に示す構造は、ブリッジ部１３０が設けられていない部分で放熱板１１５が露出するので、図１の場合と同様の放熱効果を得ることができる。
【００３１】
（変形例３）
図５には、放熱板１１５の変形例が示されている。図５に示す放熱板１１５は、嵌合孔１１５ａの部分に軸方向に延在する円筒部１１５ｃを有している。この例においては、円筒部１１５ｃにシャフト１１３を嵌合（より好ましくは圧入）することで、シャフト１１３と放熱板１１５とが結合される。この構造は、円筒部１１５ｃの内周面がシャフト１１３の外周面に接触するので、シャフト１１３と放熱板１１５との接触面積が広く確保でき、シャフト１１３から放熱板１１５への熱の伝導が図１および図２に示す構造の場合に比較してより効果的に行なわれる。
【００３２】
（変形例４）
放熱板１１５の材質を、ロータヨーク１２１の材質よりも熱伝導性が高い材質とするのは好ましい。熱伝導性が高い材質としては、銅やアルミニウムを主体とした合金が挙げられる。例えば、ロータヨーク１２１に亜鉛めっき鋼板を使用した場合、亜鉛めっき鋼板よりも熱伝導率の大きい、銅やアルミニウム等を主体とした合金を放熱板１１５に使用することで、モータ内部からの発熱をモータ外部へ放出する効果がさらに高くなる。放熱板１１５は、磁性材料である必要はないので、熱伝導率を優先した材質を選択することができる。
【００３３】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【００３４】
本発明は、送風機に利用することができる。
【符号の説明】
【００３５】
１００…軸流送風機、１０１…ケーシング、１０２…モータベース支持部、１０３…モータベース、１０４…軸受ハウジング、１０５…ステータコア、１０６…インシュレータ、１０７…ステータコイル、１０８…ステータ、１０９…端子ピン、１１０…回路基板、１１１…軸受、１１２…軸受、１１３…シャフト、１１４…ボス部、１１５…放熱板、１１５ａ…嵌合孔、１１５ｂ…貫通孔、１１５ｃ…円筒部、１１６…スプリング、１１７…羽根、１１８…円筒部、１１９…ハブ、１２０…インペラ、１２１…ロータヨーク、１２２…ロータマグネット、１２３…ロータ、１３０…ブリッジ部。
【図１】
0005993603.tif 000002
【図２】
0005993603.tif 000003
【図３】
0005993603.tif 000004
【図４】
0005993603.tif 000005
【図５】
0005993603.tif 000006